(57)【特許請求の範囲】
【請求項１】
複数の誘電体層が積層されてなる積層体と、
該積層体を挟んで対向するように配置された第１の接地電極および第２の接地電極と、
前記積層体内において互いに電磁界結合するように平面視で横並びに整列され、それぞれ一方端が短絡端で他方端が開放端である３つ以上の複数の共振器電極と、
前記積層体内において前記共振器電極との間に前記誘電体層を挟んで前記第２の接地電極側に配置され、一端が初段の前記共振器電極の短絡端部と対向するとともに対向する前記共振器電極の短絡端に電気的に接続され、他端が最終段の前記共振器電極の短絡端部と対向するとともに対向する前記共振器電極の短絡端に電気的に接続された結合電極と、
前記初段の共振器電極に沿った形状で、前記誘電体層を挟んで前記初段の共振器電極と対向するように前記第１の接地電極側に配置されて前記初段の共振器電極と電磁界結合する入力端子電極と、
前記最終段の共振器電極に沿った形状で、前記誘電体層を挟んで前記最終段の共振器電極と対向するように前記第１の接地電極側に配置されて前記最終段の共振器電極と電磁界結合する出力端子電極と
からなるフィルタ装置であって、前記共振器電極は、前記結合電極と前記入力端子電極とに挟まれた部分、および前記結合電極と前記出力端子電極に挟まれた部分のうち少なくとも一方の部分に切欠きを有しており、前記切欠きは前記共振器電極の一対の側辺のうち片側側辺にのみ設けられており、前記入力端子電極または前記出力端子電極の幅と前記結合電極の幅とが前記切欠きの幅より狭いとともに、前記入力端子電極または前記出力端子電極の一対の側辺と前記結合電極の一対の側辺とが平面視において前記切欠き内に位置していることを特徴とするフィルタ装置。
【請求項２】
複数の誘電体層が積層されてなる積層体と、
該積層体を挟んで対向するように配置された第１の接地電極および第２の接地電極と、
前記積層体内において互いに電磁界結合するように平面視で横並びに整列され、それぞれ一方端が短絡端で他方端が開放端である３つ以上の複数の共振器電極と、
前記積層体内において前記共振器電極との間に前記誘電体層を挟んで前記第２の接地電極側に配置され、一端が初段の前記共振器電極の短絡端部と対向するとともに対向する前記共振器電極の短絡端に電気的に接続され、他端が最終段の前記共振器電極の短絡端部と対向するとともに対向する前記共振器電極の短絡端に電気的に接続された結合電極と、
前記初段の共振器電極に沿った形状で、前記誘電体層を挟んで前記初段の共振器電極と対向するように前記第１の接地電極側に配置されて前記初段の共振器電極と電磁界結合する入力端子電極と、
前記最終段の共振器電極に沿った形状で、前記誘電体層を挟んで前記最終段の共振器電極と対向するように前記第１の接地電極側に配置されて前記最終段の共振器電極と電磁界結合する出力端子電極と
からなるフィルタ装置であって、前記共振器電極は、前記結合電極と前記入力端子電極とに挟まれた部分、および前記結合電極と前記出力端子電極に挟まれた部分のうち少なくとも一方の部分に開口を有しており、前記入力端子電極または前記出力端子電極の幅と前記結合電極の幅とが前記開口の幅より狭いとともに、前記入力端子電極または前記出力端子電極の一対の側辺と前記結合電極の一対の側辺とが平面視において前記開口内に位置していることを特徴とするフィルタ装置。
【請求項３】
前記共振器電極を平面視した場合に、複数の前記共振器電極を取り囲むように内部接地電極が形成されていることを特徴とする請求項１または請求項２記載のフィルタ装置。
【請求項４】
前記第２の接地電極と前記共振器電極との間において前記誘電体層を挟んで前記第２の接地電極と対向するとともに、複数の前記共振器電極の開放端にそれぞれ電気的に接続された複数の容量電極を有することを特徴とする請求項１乃至請求項３のいずれかに記載のフィルタ装置。
【請求項５】
前記共振器電極を平面視した場合に、複数の前記共振器電極を取り囲むように内部接地電極が形成されており、前記容量電極の一部が前記誘電体層を挟んで前記内部接地電極と対向するように配置されていることを特徴とする請求項４記載のフィルタ装置。
【発明の詳細な説明】
【技術分野】
【０００１】
本発明は、例えば携帯電話，無線ＬＡＮ（Local Area Network），ＵＷＢ（Ultra Wide
Band）等の無線通信機器その他の各種通信機器等において使用されるフィルタ装置に関
するものである。
【背景技術】
【０００２】
近年、携帯電話機や無線ＬＡＮ等の様々な用途で無線通信機器が用いられるようになっており、各無線通信機器において使用される周波数が互いに近くなっていることから、これらの無線通信機器には、所望周波数帯域の信号のみを選択的に通過させるとともに、通過帯域の低周波側および高周波側に近接した信号帯域における不所望信号の混入を防止して良質の通信を行ない得るようにするために、通過周波数帯域の低周波側および高周波側の減衰帯域にそれぞれ減衰極を備えた帯域通過特性を有するフィルタ装置が搭載されている。
【０００３】
情報伝送容量の増加に伴い、無線通信機器は使用可能な周波数帯域において、高周波化と広帯域化とで利用帯域幅を拡張して情報伝送容量を確保するようになってきている。そのため、通過帯域が広く、かつ通過帯域の近傍に減衰極を有する（急峻な減衰特性を有する）フィルタ装置が求められるようになってきている。
【０００４】
例えば、新しい通信手段として着目されているＵＷＢは、10ｍ程度の短い距離において広い周波数帯域を使用して大容量のデータ転送を実現するものであり、例えば米国ＦＣＣ（Federal Communication Commission）の規定によると3.1〜10.6ＧＨｚという非常に広
い周波数帯域を使用する計画となっている。そして、日本では、無線ＬＡＮのＩＥＥＥ802.11.ａにおいて使用される5.15ＧＨｚ〜5.25ＧＨｚを避ける形で、3.4ＧＨｚ〜4.8ＧＨ
ｚ程度の帯域を使用するローバンドと7.25ＧＨｚ〜10.25ＧＨｚ程度の帯域を使用するハ
イバンドとに分割された規格が立案されている。このため、ローバンド用のフィルタであれば、3.4ＧＨｚ〜4.8ＧＨｚ程度の広い帯域を使用する（この帯域の周波数の信号を通過させる）のに対して、わずかに0.35ＧＨｚしか離れていない5.15ＧＨｚでは減衰するという非常に急峻な減衰特性が求められている。
【０００５】
このような広帯域で通過帯域の両側近傍に減衰極を有するバンドパスフィルタの要求に対して、図１２に示すような、複数の共振器電極３ａ〜３ｄの短絡端を電気的に接続する結合電極４を備えたフィルタ装置が提案されている。このフィルタ装置においては、結合電極４を備えていることにより、複数の共振器電極３ａ〜３ｄ間において、容量性の結合だけでなく誘導性の結合も生じさせることができる。これにより、所定の通過帯域近傍の周波数帯域における信号を急峻に減衰させることができるというものである（特許文献１を参照。）。
【先行技術文献】
【特許文献】
【０００６】
【特許文献１】特開2008−118615号公報
【発明の概要】
【発明が解決しようとする課題】
【０００７】
しかしながら、近年、所定の通過帯域を除く周波数帯域における信号をより大きく減衰させることが求められている。従来のフィルタ装置においては、結合電極によって通過帯域近傍の周波数帯域における信号を急峻に減衰させることができるが、この結合電極によ
ってλ／２共振が生じるものであった。このλ／２共振が生じると、減衰特性に跳ね上がりが生じるので、例えば、ローバンド用とハイバンド用との両方を備えたデュアルバンドのフィルタ装置とした場合には、ローバンド用フィルタにおいて発生したλ／２共振によって、ハイバンド用のフィルタによる通過帯域の外側において、減衰が急峻でなくなったり共振が発生したりしてしまう、あるいは、通過帯域においても共振によるノイズが発生してしまう場合があるという問題点があった。
【０００８】
本発明は上記課題に鑑みて案出されたものであり、その目的は、λ／２共振による高調波成分を小さくすることにより、所定の通過帯域を除く周波数帯域における信号をより大きく減衰することのできる、例えばＵＷＢ用途にも好適に用いることのできるフィルタ装置を提供することにある。
【課題を解決するための手段】
【０００９】
本発明のフィルタ装置は、複数の誘電体層が積層されてなる積層体と、該積層体を挟んで対向するように配置された第１の接地電極および第２の接地電極と、前記積層体内において互いに電磁界結合するように平面視で横並びに整列され、それぞれ一方端が短絡端で他方端が開放端である３つ以上の複数の共振器電極と、前記積層体内において前記共振器電極との間に前記誘電体層を挟んで前記第２の接地電極側に配置され、一端が初段の前記共振器電極の短絡端部と対向するとともに対向する前記共振器電極の短絡端に電気的に接
続され、他端が最終段の前記共振器電極の短絡端部と対向するとともに対向する前記共振器電極の短絡端に電気的に接続された結合電極と、前記初段の共振器電極に沿った形状で、前記誘電体層を挟んで前記初段の共振器電極と対向するように前記第１の接地電極側に配置されて前記初段の共振器電極と電磁界結合する入力端子電極と、前記最終段の共振器電極に沿った形状で、前記誘電体層を挟んで前記最終段の共振器電極と対向するように前記第１の接地電極側に配置されて前記最終段の共振器電極と電磁界結合する出力端子電極とからなるフィルタ装置であって、前記共振器電極は、前記結合電極と前記入力端子電極とに挟まれた部分、および前記結合電極と前記出力端子電極に挟まれた部分のうち少なくとも一方の部分に切欠きを有しており、前記切欠きは前記共振器電極の一対の側辺のうち片側側辺にのみ設けられており、前記入力端子電極または前記出力端子電極の幅と前記結合電極の幅とが前記切欠きの幅より狭いとともに、前記入力端子電極または前記出力端子電極の一対の側辺と前記結合電極の一対の側辺とが平面視において前記切欠き内に位置していることを特徴とするものである。また、本発明のフィルタ装置は、複数の誘電体層が積層されてなる積層体と、該積層体を挟んで対向するように配置された第１の接地電極および第２の接地電極と、前記積層体内において互いに電磁界結合するように平面視で横並びに整列され、それぞれ一方端が短絡端で他方端が開放端である３つ以上の複数の共振器電極と、前記積層体内において前記共振器電極との間に前記誘電体層を挟んで前記第２の接地電極側に配置され、一端が初段の前記共振器電極の短絡端部と対向するとともに対向する前記共振器電極の短絡端に電気的に接続され、他端が最終段の前記共振器電極の短絡端部と対向するとともに対向する前記共振器電極の短絡端に電気的に接続された結合電極と、前記初段の共振器電極に沿った形状で、前記誘電体層を挟んで前記初段の共振器電極と対向するように前記第１の接地電極側に配置されて前記初段の共振器電極と電磁界結合する入力端子電極と、前記最終段の共振器電極に沿った形状で、前記誘電体層を挟んで前記最終段の共振器電極と対向するように前記第１の接地電極側に配置されて前記最終段の共振器電極と電磁界結合する出力端子電極とからなるフィルタ装置であって、前記共振器電極は、前記結合電極と前記入力端子電極とに挟まれた部分、および前記結合電極と前記出力端子電極に挟まれた部分のうち少なくとも一方の部分に開口を有しており、前記入力端子電極または前記出力端子電極の幅と前記結合電極の幅とが前記開口の幅より狭いとともに、前記入力端子電極または前記出力端子電極の一対の側辺と前記結合電極の一対の側辺とが平面視において前記開口内に位置していることを特徴とするものである。
【００１０】
また、本発明のフィルタ装置は、上記構成において、前記共振器電極を平面視した場合に、複数の前記共振器電極を取り囲むように内部接地電極が形成されていることを特徴とするものである。
【００１１】
また、本発明のフィルタ装置は、上記各構成において、前記第２の接地電極と前記共振器電極との間において前記誘電体層を挟んで前記第２の接地電極と対向するとともに、複数の前記共振器電極の開放端にそれぞれ電気的に接続された複数の容量電極を有することを特徴とするものである。
【００１２】
また、本発明のフィルタ装置は、上記構成において、前記共振器電極を平面視した場合に、複数の前記共振器電極を取り囲むように内部接地電極が形成され、前記容量電極の一部が前記誘電体層を挟んで前記内部接地電極と対向するように配置されていることを特徴とするものである。
【発明の効果】
【００１５】
本発明のフィルタ装置によれば、共振器電極は、結合電極と入力端子電極とに挟まれた部分、および結合電極と出力端子電極に挟まれた部分のうち少なくとも一方の部分に切欠きまたは開口を有することから、結合電極と入力端子電極および出力端子電極の少なくとも一方とが切欠きまたは開口を通して容量結合することで電磁界結合が強まるので、結合電極を通る信号の位相を変えることができる。これにより、結合電極によるλ／２共振を低減することができ、所定の通過帯域を除く周波数帯域において減衰特性の跳ね上がりが抑えられたフィルタ装置とすることができる。
【００１６】
また、本発明のフィルタ装置によれば、上記構成において、共振器電極を平面視した場合に、複数の共振器電極を取り囲むように内部接地電極が形成されているときには、内部接地電極が複数の共振器電極の周囲を環状に取り囲むことによって、共振器電極から発生する電磁波の周囲への漏洩を低減することができる。この効果は、モジュール基板の中の一部の領域に本発明のフィルタ装置が形成される場合に、モジュール基板の他の領域への悪影響を防止する上で特に有用である。
【００１７】
また、本発明のフィルタ装置によれば、上記各構成において、第２の接地電極と共振器電極との間において誘電体層を挟んで第２の接地電極と対向するとともに、複数の共振器電極の開放端にそれぞれ電気的に接続された複数の容量電極を有するときには、容量電極と第２の接地電極との距離は共振器電極と第２の接地電極との距離より短くなり、これにより共振器電極と第２の接地電極との間の結合がより強くなり、共振器電極の容量結合が強化されるので、各共振器電極の長さを短縮することができ、より小型のフィルタ装置を提供することができる。
【００１８】
また、本発明のフィルタ装置によれば、上記構成において、共振器電極を平面視した場合に、複数の前記共振器電極を取り囲むように内部接地電極が形成され、容量電極の一部が誘電体層を挟んで内部接地電極と対向するように配置されているときには、内部接地電極は共振器電極が形成された誘電体層間と同じ誘電体層間に形成されており、容量電極を内部接地電極と結合させるように対向させると共振器電極と容量電極との電気的接続を行なう貫通導体等の配線長を短くすることができるので、この配線による不要なインダクタンスを減らすことができ、電極間の配線のインダクタンスによる副次的な共振のない優れたフィルタ特性を有するフィルタ装置とすることができる。
【００１９】
また、本発明のフィルタ装置によれば、上記構成において、共振器電極は切欠きを有しており、切欠きは共振器電極の一対の側辺のうち片側側辺にのみ設けられており、入力端子電極または出力端子電極の幅と結合電極の幅とが切欠きの幅より狭いとともに、入力端子電極または出力端子電極の一対の側辺と結合電極の一対の側辺とが平面視において切欠き内に位置しているときには、結合電極と共振器電極との容量結合を小さくするとともに、入力端子電極または出力端子電極と共振器電極との容量結合を小さくすることができ、結合電極と入力端子電極または出力端子電極との容量結合を増大させることができる。これによって、結合電極によるλ／２共振を低減させることができ、所定の通過帯域を除く周波数帯域において減衰特性の跳ね上がりが抑えられたフィルタ装置とすることができる。
【００２０】
また、本発明のフィルタ装置によれば、上記構成において、共振器電極は開口を有しており、入力端子電極または出力端子電極の幅と結合電極の幅とが開口の幅より狭いとともに、入力端子電極または出力端子電極の一対の側辺と結合電極の一対の側辺とが平面視において開口内に位置しているときには、結合電極と共振器電極との容量結合を小さくするとともに、入力端子電極または出力端子電極と共振器電極との容量結合を小さくすることができ、結合電極と入力端子電極または出力端子電極との容量結合を増大させることができる。これによって、結合電極によるλ／２共振を低減させることができ、所定の通過帯域を除く周波数帯域において減衰特性の跳ね上がりが抑えられたフィルタ装置とすることができる。
【図面の簡単な説明】
【００２１】
【図１】本発明のフィルタ装置の実施の形態の一例を模式的に示す分解斜視図である。
【図２】（ａ）は図１に示すフィルタ装置の共振器電極を示す平面図であり、（ｂ）〜（ｄ）は、それぞれ本発明のフィルタ装置の共振器電極の他の例を示す平面図である。
【図３】（ａ）は図１に示すフィルタ装置の要部を拡大して示す平面図であり、（ｂ）〜（ｅ）は、それぞれ本発明のフィルタ装置の他の例の要部を拡大して示す平面図である。
【図４】本発明のフィルタ装置の実施の形態の他の一例を模式的に示す分解斜視図である。
【図５】図４に示すフィルタ装置のＡ−Ａ断面の一例を示す断面図である。
【図６】本発明のフィルタ装置の実施の形態の他の一例を模式的に示す分解斜視図である。
【図７】本発明のフィルタ装置の実施の形態の他の一例を模式的に示す分解斜視図である。
【図８】本発明のフィルタ装置の実施の形態の他の一例を模式的に示す分解斜視図である。
【図９】本発明のフィルタ装置の伝送特性のシミュレーション結果を示す図である。
【図１０】本発明の他のフィルタ装置の伝送特性のシミュレーション結果を示す図である。
【図１１】本発明のさらに他のフィルタ装置の伝送特性のシミュレーション結果を示す図である。
【図１２】従来のフィルタ装置を示す分解斜視図である。
【発明を実施するための形態】
【００２２】
本発明のフィルタ装置について以下に詳細に説明する。図１〜図８において、１ａは誘電体層、１は誘電体層１ａが積層されてなる積層体、２ａは第１の接地電極、２ｂは第２の接地電極、２ｃは内部接地電極、３ａ〜３ｄは共振器電極、３ａは初段の共振器電極、３ｄは最終段の共振器電極、４は結合電極、５は入力端子電極、５ａは外部入力端子電極、５ｂは内部入力端子電極、６は出力端子電極、６ａは外部出力端子電極、６ｂは内部出力端子電極、７は容量電極、８は切欠きまたは開口、９は第２容量電極である。また、図１，図４および図６〜８において、破線は、誘電体層１ａの上下に位置する導体層（例えば初段の共振器電極３ａと入力端子電極５）を電気的に接続するための誘電体層１ａを貫通する貫通導体があることを示している。
【００２３】
図１に示す例では、積層体１は４層の誘電体層１ａが積層されて構成されており、４つの共振器電極３ａ〜３ｄが、短絡端と開放端とが交互に入れ替わるように配置された、いわゆるインターデジタル型に配置された例を示している。誘電体層１ａの層数は、誘電体層１ａの厚みや比誘電率等によって適宜変えることができる。結合電極４は、４つの共振器電極３ａ〜３ｄがインターデジタル型に配置されているので、一端が初段の共振器電極３ａの短絡端部と対向し、他端が最終段の共振器電極３ｄの短絡端部と対向するには、図
１に示す例のようなクランク型となる。同じ４つの共振器電極３ａ〜３ｄであっても、短絡端および開放端の向きが同じ、いわゆるコムライン型に配置されている場合であれば、結合電極４はコの字型（Ｃ字型）となる。同様に、共振器電極の配置が同じインターデジタル型の配置の場合でも、その数が５つ等の奇数である場合にも、結合電極４はコの字型（Ｃ字型）となる。このように、結合電極４の形状は共振器電極の配置と数に応じた形状となる。そして、初段の共振器電極３ａおよび最終段の共振器電極３ｄには、それぞれ結合電極４と入力端子電極５とで挟まれる位置および結合電極４と出力端子電極６とで挟まれる位置に開口８が設けられている。
【００２４】
共振器電極３ａ〜３ｄは、積層体１の１つの誘電体層１ａ・１ａ間に横並びに整列させて配置されて、相互に電磁界結合（エッジ結合）している。隣り合う共振器電極３ａ・３ｂ，３ｂ・３ｃ，３ｃ・３ｄ同士の間隔は、小さい方が強い結合が得られ、容易に通過帯域を広くできるので好ましいが、短絡端から開放端までの間において互いに短絡しないようにして等間隔に良好に形成するには、例えば0.05〜0.5ｍｍ程度に設定される。横並び
に配置されて相互に電磁界結合するためには、共振器電極３ａ〜３ｄの形状は細長い帯状のものであるのが好ましい。
【００２５】
共振器電極３ａ〜３ｄは、積層体１内において互いに電磁界結合するように平面視で横並びに整列されていればよい。通常は、例えば図１に示すように、４つの共振器電極３ａ〜３ｄが１つの誘電体層１ａ・１ａ間に配置されるが、共振器電極３ａ，３ｃを１つの誘電体層１ａ・１ａ間に配置し、共振器電極３ｂ，３ｄを誘電体層１ａを１層介した別の誘電体層１ａ・１ａ間に配置してもよい。ただし、このように配置すると、隣り合う共振器電極間における短絡がないのでその形成は容易になるので好ましいが、誘電体層１ａの層数が増加してフィルタ装置の厚みは厚いものとなる。
【００２６】
また、図１，図２，図４および図６〜８に示す例のように、共振器電極３ａ〜３ｄをインターデジタル型に配置したときには、共振器電極３ａ〜３ｄ間の結合は、磁界による結合と電界による結合とが加算されることによって各共振器電極３ａ〜３ｄ間においてより強い結合が生じることによって、それぞれの共振モードにおける共振周波数の間の周波数間隔を、従来の１／４波長共振器を利用したフィルタで実現可能であった帯域を超えて調整することができ、広帯域な通過帯域を有するフィルタ装置とすることができる。また、インターデジタル型に配置された共振器電極３ａ〜３ｄ間の結合は強い磁界結合となり、共振器電極３ａ〜３ｄのパターン幅を小さくして磁界を強める必要がないので、共振器電極３ａ〜３ｄのパターン幅を大きくすることによって、共振器電極３ａ〜３ｄの電気抵抗を小さくし、共振器の急峻性共振の鋭さを示すＱ値（quality factor）を高くすることができる。その結果、広い通過帯域を有し急峻な減衰特性を有する、例えばＵＷＢ用途のバンドパスフィルタに適したフィルタ装置とすることができる。
【００２７】
また、共振器電極３ａ〜３ｄをコムライン型に配置したときは、インターデジタル型と比べて共振器電極３ａ〜３ｄ間の結合が弱いことから、通過帯域が狭く急峻な特性が得られ、また各共振器電極３ａ〜３ｄのパターン幅を小さくできることによってより小型化できるため、携帯電話用や無線ＬＡＮ等の比較的小型の無線機器に適したフィルタ装置となる。
【００２８】
図１，図２，図４および図６〜８に示す例では４つの共振器電極３ａ〜３ｄが設けられているが、共振器電極は５つ以上を設けてもよく、損失が大きくならない程度の個数であればよい。ＵＷＢのローバンド用途では、損失と減衰特性のバランスから、共振器電極は４つが好ましい。
【００２９】
共振器電極３ａ〜３ｄは、それぞれ上下に位置する第１の接地電極２ａおよび第２の接
地電極２ｂ（以下、第１の接地電極２ａおよび第２の接地電極２ｂをまとめて接地電極２ａ，２ｂともいう）と共にストリップライン共振器を構成しており、短絡端が上下の接地電極２ａ，２ｂに接続されて接地電位に接続されることによって１／４波長共振器として機能する。共振器電極３ａ〜３ｄと上下の接地電極２ａ，２ｂとの接続は、図１，図２，図４および図６〜８に示すように、共振器電極３ａ〜３ｄを形成した層間に共振器電極３ａ〜３ｄの短絡端同士を接続するための導体層を設けて、この導体層と貫通導体（図示せず。）とによって接続したり、この導体層を誘電体層１ａの端部まで延ばして誘電体層１ａの端面（積層体１の側面）に形成した端面導体（図示せず）によって接続したりすればよい。共振器電極３ａ〜３ｄの短絡端同士を接続するための導体層を設けない場合は、共振器電極３ａ〜３ｄのそれぞれを貫通導体によって接地電極２ａ，２ｂに接続してもよいし、共振器電極３ａ〜３ｄの短絡端を誘電体層１ａの端部まで延ばして、誘電体層１ａの端面（積層体１の側面）に形成した端面導体によって接地電極２ａ，２ｂに接続してもよい。端面導体で接続すると、共振器電極３ａ〜３ｄから発生する電磁波の周囲への漏洩を低減するシールド層として端面導体を機能させることができ、貫通導体の場合でも、その間隔を小さくしたり、共振器電極３ａ〜３ｄの周りに二重以上に配列し、側面から見てできるだけ貫通導体を隙間なく配置したりすれば、同様にシールドの機能がより顕著になるので好ましい。図１，図２，図４および図６〜８に示す例のように、共振器電極３ａ〜３ｄの短絡端同士を接続するための導体層を設けると、共振器電極３ａ〜３ｄの短絡端を接地電極２ａ，２ｂに接続するのが容易となるので好ましい。
【００３０】
本発明のフィルタ装置では、このような共振器電極３ａ〜３ｄのうち、初段の共振器電極３ａおよび最終段の共振器電極３ｄの少なくとも一方には、切欠きまたは開口８が設けられている。初段の共振器電極３ａの切欠きまたは開口８は、結合電極４と入力端子電極５とが電磁界結合しやすいように、結合電極４と入力端子電極５とで挟まれる位置に形成して、これらが誘電体層１ａを挟んで対向するように形成する。同様に、最終段の共振器電極３ｄの切欠きまたは開口８は、結合電極４と出力端子電極６とが電磁界結合しやすいように、結合電極４と出力端子電極６とで挟まれる位置に形成して、これらが誘電体層１ａを挟んで対向するように形成する。
【００３１】
このような切欠きまたは開口８を設けると、結合電極４と入力端子電極５および出力端子電極６の少なくとも一方とが切欠きまたは開口８を通して容量結合することで電磁界結合が強まるので、結合電極４を通る信号の位相を変えることができる。
【００３２】
図２（ａ）は、図１に示す例のフィルタ装置の共振器電極３ａ〜３ｄおよび内部接地電極２ｃが形成された絶縁層１ａを上面視した平面図であり、図２（ｂ）〜図２（ｄ）は、それぞれ他の例を示す同様の平面図である。
【００３３】
切欠きまたは開口８は、結合の弱い結合電極４と入力端子電極５または出力端子電極６との間の結合を強めるために設けるものであり、図２（ａ）に示す例のような開口８であってもよいし、図２（ｂ）〜図２（ｄ）に示す例のような切欠き８であってもよい。例えば図２（ｃ）および（ｄ）に示す例のように、初段の共振器電極３ａの第２段の共振器電極３ｂ側または最終段の共振器電極３ｄの第３段の共振器電極３ｃ側に切欠き８を設けると、初段の共振器電極３ａと第２段の共振器電極３ｂとの結合または最終段の共振器電極３ｄと第３段の共振器電極３ｃとの結合が減少することから、共振器電極３ａ〜３ｄと接地電極２ａ，２ｂとで形成される基本的なフィルタの中心周波数がずれたり、反射特性が変わったりするなどして通過帯域内のフィルタ特性が変わって、切欠き８を形成することによるフィルタ設計が複雑になってしまう場合がある。このことから、切欠き８を設ける場合は、図２（ｂ）に示す例のように、隣り合う共振器電極３ｂ，３ｂの側とは反対側に、すなわち横並びに配列された共振器電極３ａ〜３ｄの外側に設けることが好ましい。
【００３４】
無線ＬＡＮやＵＷＢ用のフィルタ装置のような、高周波信号が共振器電極３ａ〜３ｄを伝送する場合では、電極の端部に電流が集中しやすくなる縁端効果がある。このことから、共振器電極３ａ〜３ｄの幅方向の端部に切欠き８があると、端部が屈曲するのでインピーダンスの不整合が起こりやすくなり、また共振器電極３ａ〜３ｄのインダクタンス成分が増加することから、フィルタの損失が増えることとなる。このため、図２（ａ）に示す例のように、共振器電極３ａ，３ｄには切欠き８よりも開口８を設けるのが好ましい。
【００３５】
図１，図２，図４および図６〜８に示す例では、いずれも切欠きまたは開口８は初段の共振器電極３ａおよび最終段の共振器電極３ｄの両方に設けられているが、切欠きまたは開口８は少なくとも１つあれば上述したような効果は得られる。入力端子電極５と初段の共振器電極３ａとの間の結合量と出力端子電極６と最終段の共振器電極３ｄとの間の結合量は、フィルタの入出力の電流のバランスを考えると同程度がよく、また、結合電極４と初段の共振器電極３ａとの間の結合量と結合電極４と最終段の共振器電極３ｄとの間の結合量は、結合電極４に流れる電流のバランスを考えると同程度がよいことから、初段の共振器電極３ａおよび最終段の共振器電極３ｄの両方に切欠きまたは開口８を設けるのが好ましい。また、同様の理由から、共振器電極３ａ，３ｄの切欠きまたは開口８の面積は同程度にするのが好ましく、切欠きまたは開口８の位置は、共振器電極３ａ，３ｄの一端および他端から同じ距離の位置に設けるのが好ましい。
【００３６】
共振器電極３ａ，３ｄにおいて線路の幅が大きく変わると、インピーダンスの不整合が大きくなり、抵抗成分が大きくなるので、切欠きまたは開口８を形成した残りの共振器電極３ａ，３ｄの幅があまり小さくならないように、切欠きまたは開口８の幅は小さい方がよい。具体的には、共振器電極３ａ，３ｄの幅に対する切欠きまたは開口８の幅は、50％程度以下であると上記のような影響が小さいのでよい。
【００３７】
また、線路の幅が急激に変わるとインピーダンスの変化が急激になるので、切欠きまたは開口８の形状は、切欠きまたは開口８を形成した残りの共振器電極３ａ，３ｄの幅が、段階的に、あるいは徐々に変化するような形状にするのが好ましい。開口の場合であれば、例えば、図３（ａ）に示す例のような長方形よりも、図３（ｂ）や図３（ｄ）に示す例のような六角形、あるいは図３（ｃ）に示す例のような八角形、図３（ｅ）に示す例のような楕円形、あるいはひし形や長円形等で共振器電極３ａ，３ｄの長さ方向に沿った形状がよい。また、切欠きの場合であれば、その形状は、上記形状の開口を長さ方向に平行な中心線で１／２とした形状、例えば三角形や台形とすればよい。このように、切欠きまたは開口８の形状を共振器電極３ａ，３ｄの長さ方向に沿った細長い形状とすることで、切欠きまたは開口８を形成した残りの共振器電極３ａ，３ｄの幅をあまり小さくすることなく、結合電極４と入出力電極５または出力端子電極６との結合を大きくすることができる。
【００３８】
さらに、開口８は、図３（ａ）〜（ｅ）に示す例のように、共振器電極３ａ，３ｄの長さ方向に平行な中心線に対して対称な形状で、幅方向の中心に位置するように形成すると、開口８を挟んだ共振器電極３ａ，３ｄの両縁端部の幅が同じになるので、両縁端部に流れる電流分布が同等となり好ましい。
【００３９】
また、図１，図２，図４および図６〜８に示す例では、初段の共振器電極３ａおよび最終段の共振器電極３ｄのそれぞれに１つの開口８を設けている。切欠きまたは開口８を複数設けてもかまわないが、共振器電極３ａ，３ｄの長さ方向に複数個の切欠きまたは開口８を並べて配置すると、共振器電極３ａ，３ｄのストリップ線路における信号の伝送方向に複数の不連続部ができてインピーダンスの不整合が生じてしまう。また、共振器電極３ａ，３ｄの幅方向に複数個の開口８または複数個の切欠き８と開口８を並べて配置すると、信号が伝送する線路の幅が小さくなりすぎて損失が大きくなる。よって、切欠きまたは
開口８は、共振器電極３ａ，３ｄにそれぞれ１つずつ設けるのがより好ましい。
【００４０】
切欠きまたは開口８の面積が大きいほど結合電極４と入力端子電極５または出力端子電極６との結合を強めることができるが、結合電極４と初段の共振器電極３ａおよび最終段の共振器電極３ｄとの結合、入力端子電極５と初段の共振器電極３ａとの結合、および出力端子電極６と最終段の共振器電極３ｄとの結合は弱まってしまい、フィルタ特性の通過帯域の両側の減衰特性が劣化（急峻性が損なわれる）するとともに通過帯域内の反射特性が悪くなるので、結合が大きく損なわれないように設定すればよい。
【００４１】
また、本発明のフィルタ装置は、図１，図２，図４および図６〜８に示す例のように、上記構成において、共振器電極３ａ〜３ｄが形成された誘電体層１ａ間に、平面視で複数の共振器電極３ａ〜３ｄを取り囲むように内部接地電極２ｃが形成されていることが好ましい。このようにすることにより、内部接地電極２ｃが共振器電極３ａ〜３ｄの周囲を取り囲むことによって、共振器電極３ａ〜３ｄから発生する電磁波の周囲への漏洩を低減することができる。この効果はモジュール基板の中の一部の領域にフィルタ装置が形成される場合に、モジュール基板の他の領域への悪影響を防止する上で特に有用である。内部接地電極２ｃは、上述した共振器電極３ａ〜３ｄの短絡端同士を接続するための導体層と、共振器電極３ａ〜３ｄの並びの両側に形成された導体層とからなる環状のものである。接地電極２ａ，２ｂと共振器電極３ａ〜３ｄとの接続を、内部接地電極２ｃの共振器電極３ａ〜３ｄの並びの両側に位置する部分でも行なえば、共振器電極３ａ〜３ｄから発生する電磁波の周囲への漏洩をより効果的に低減することができる。
【００４２】
内部接地電極２ｃと共振器電極３ａ，３ｄとの距離は、共振器電極３ａ，３ｄによる磁界に影響を与えてフィルタのＱ値が低下して通過帯域の損失が大きくなってしまわないように、共振器電極３ａ，３ｄによる磁束が通過できる距離があればよく、共振器電極３ａ，３ｄと接地電極２ａ，２ｂとの間の距離より大きいことが好ましい。
【００４３】
結合電極４は、結合の弱い初段の共振器電極３ａと最終段の共振器電極３ｄとの間の結合を強めるために設けるものであり、例えば図１に示す例において、第２段の共振器電極３ｂと第３段の共振器電極３ｃとの結合が増えると、共振器電極３ａ〜３ｄと接地電極２ａ，２ｂとで形成される基本的なフィルタの中心周波数がずれるなど通過帯域内のフィルタ特性が変わることととなり、結合電極４を加えることによる減衰特性の設計が複雑になってしまう。また、結合電極４において初段の共振器電極３ａに対向する部分と最終段の共振器電極３ｄに対向する部分とを接続するパターンの線幅が大きいと、結合電極４自身が接地電極のように機能することから、共振器電極３ａ〜３ｄによる磁界に影響を与えることにより、フィルタのＱ値が低下して通過帯域の損失が大きくなってしまう。そのため、初段の共振器電極３ａに対向する部分と最終段の共振器電極３ｄに対向する部分とを接続する部分は、第２段および第３段の共振器電極３ｂ，３ｃと対向する面積を小さくして結合をできるだけ小さくするために、小さい幅のパターンで、第２段および第３段の共振器電極３ｂ，３ｃと直交するように設けるとよい。また、初段の共振器電極３ａおよび最終段の共振器電極３ｄに対向する部分までの距離を大きくすることによって結合を小さくするために、この直交する部分をさらに１層以上の誘電体層１ａを挟んだ位置に形成して、貫通導体によって初段の共振器電極３ａに対向する部分および最終段の共振器電極３ｄに対向する部分に接続してもよい。
【００４４】
結合電極４と共振器電極３ａ，３ｄとの間の誘電体層１ａの層数によって結合電極４と共振器電極３ａ，３ｄとの間の距離を変更したり、結合電極４のパターン幅や長さ等のパターン形状や平面視での位置によって結合電極４と共振器電極３ａ，３ｄとが重なる面積を変更したりすることで、結合電極４と共振器電極３ａ，３ｄとの間の電磁界結合度の強弱を調整でき、減衰極が生じる周波数を任意に設定できる。共振器電極３ａ，３ｄとの間
で十分な結合が得られ、フィルタ装置を作製する際の位置ずれによって初段の共振器電極３ａおよび最終段の共振器電極３ｄ以外の共振器電極３ｂ，３ｃとの結合が発生してしまうことがないように、結合電極４の初段の共振器電極３ａに対向する部分および最終段の共振器電極３ｄに対向する部分は、共振器電極３ａ，３ｄの形状に沿った帯状で、共振器電極３ａ，３ｄより幅の小さい形状とするのがよい。
【００４５】
また、本発明のフィルタ装置は、上記構成において、図４に示す例のように、第２の接地電極２ｂと共振器電極３ａ〜３ｄとの間において誘電体層１ａを挟んで第２の接地電極２ｂと対向するとともに、複数の共振器電３ａ〜３ｄの開放端にそれぞれ電気的に接続された複数の容量電極７を有することが好ましい。これにより、容量電極７と第２の接地電極２ｂとの距離は共振器電極３ａ〜３ｄと第２の接地電極２ｂとの距離より短く、これにより共振器電極３ａ〜３ｄと第２の接地電極２ｂとの間の結合がより強くなり、共振器電極３ａ〜３ｄと第２の接地電極２ｂとのＣ結合が強化されるので、各共振器電極３ａ〜３ｄの長さを短縮することができ、より小型なフィルタ装置を提供することができる。
【００４６】
また、本発明のフィルタ装置は、上記構成において、図４に示す例のように、容量電極７の一部が誘電体層１ａを挟んで内部接地電極２ｃと対向するように配置されていることが好ましい。図５は図４に示すフィルタ装置のＡ−Ａ断面の一例を示す断面図である。内部接地電極２ｃは、共振器電極３ａ〜３ｄが形成された誘電体層１ａ・１ａ間と同じ誘電体層１ａ・１ａ間に形成されており、容量電極７を内部接地電極２ｃと結合させるように対向させると、容量電極７を第２の接地電極２ｂのみと結合させるように対向させた場合（図５に破線で示した容量電極７ａの場合）と比較して、共振器電極３ａ〜３ｄと容量電極７との電気的接続を行なう貫通導体等の配線長を短くすることができるので、この配線による不要なインダクタンスを減らすことができ、インダクタンスによる副次的な共振のない優れたフィルタ特性を有するフィルタ装置とすることができる。また、共振器電極３ａ〜３ｄと容量電極７との電気的接続を行なう貫通導体等の配線長が同じ場合であっても、容量電極７と内部接地電極２ｃとの間の静電容量が加わるので、共振器電極３ａ〜３ｄの開放端と接地電位との間の静電容量がさらに増加し、共振器電極３ａ〜３ｄの長さを短縮することができるので、より小型のバンドパスフィルタとしてのフィルタ装置を得ることができる。
【００４７】
容量電極７と共振器電極３ａ〜３ｄとは、貫通導体で電気的に接続される。容量電極７と共振器電極３ａ〜３ｄとが平面視で重なると、その重なった面積分だけ共振器電極３ａ〜３ｄと接地電極２ａ，２ｂとの結合が小さくなってしまい、また、例えば共振器電極３ａに接続された容量電極７と他の共振器電極３ｂ〜３ｄとが平面視で重なると、初段の共振器電極３ａと他の共振器電極３ｂ〜３ｄとの結合量が変わってしまうので、図４に示す例のように、容量電極７を長方形や楕円形のような細長い形状とし、共振器電極３ａ〜３ｄの開放端と容量電極７の一方端とを接続し、容量電極７の他方端を共振器電極３ａ〜３ｄの開放端を延長する方向に向けるとよい。
【００４８】
容量電極７は、図４に示す例では、共振器電極３ａ〜３ｄに対して誘電体層１ａを挟んで下方にそれぞれ１つずつ設けられているが、共振器電極３ａ〜３ｄの上下に設けてもよいし、共振器電極３ａ〜３ｄの上方にそれぞれ１つずつあるいは上方または下方のいずれかにそれぞれ１つずつ設けてもよい。
【００４９】
入力端子電極５および出力端子電極６は、図１，図４および図６〜８に示す例のように、それぞれ共振器電極３ａ，３ｄと電磁界結合するように誘電体層１ａを挟んで共振器電極３ａ，３ｄと対向するように配置されている。この場合、図１，図４および図６〜８に示す例のように、入力端子電極５は、初段の共振器電極３ａに沿った形状で、誘電体層１ａを挟んで初段の共振器電極３ａと対向するように配置されて初段の共振器電極３ａと電
磁界結合する内部入力端子電極５ｂと、積層体１の外表面に形成され、内部入力端子電極５ｂに初段の共振器電極３ａの開放端側で接続された外部入力端子電極５ａとを具備し、出力端子電極６は、最終段の共振器電極３ｄに沿った形状で、誘電体層１ａを挟んで共振器電極３の最終段３ｄと対向するように配置されて最終段の共振器電極３ｄと電磁界結合する内部出力端子電極６ｂと、積層体１の外表面に形成され、内部出力端子電極６ｂに最終段の共振器電極３ｄの開放端側で接続された外部出力端子電極６ａとを具備している。このような構成により、入力端子電極５と初段の共振器電極３ａとの間および出力端子電極６と最終段の共振器電極３ｄとの間において、磁界による結合と電界による結合とが加算されて強い結合が生じるので、従来の１／４波長共振器を利用したフィルタで実現可能だった帯域よりも広い通過帯域であっても、それぞれの共振モードの共振周波数の間に位置する周波数における挿入損失が大きく増加することのない、広い通過帯域の全域に渡って平坦で低損失な通過特性を有するフィルタ装置を提供することができる。この結果、広い通過帯域を有し、かつ急峻な減衰特性を有する、例えばＵＷＢ用途のバンドパスフィルタに適したフィルタ装置となる。
【００５０】
内部入力端子電極５ｂと外部入力端子電極５ａとの接続、および内部出力端子電極６ｂと外部出力端子電極６ａとの接続は、図１，図４および図６〜８に示す例のように、誘電体層１ａを貫通する貫通導体で行なえばよい。また、内部入力端子電極５ｂ，外部入力端子電極５ａ，内部出力端子電極６ｂおよび外部出力端子電極６ａをそれぞれ誘電体層１ａの端部まで延ばして、端面導体で接続することもできる。共振器電極３ａ〜３ｄと接地電極２ａ，２ｂとの接続を端面導体で行なう場合は、端面導体の形成が導体ペーストの印刷等により他の電極と同時に行なえるので、製造上で都合がよい。
【００５１】
また、本発明のフィルタ装置は、上記構成において、図６に示す例のように、共振器電極３ａ，３ｄは切欠き８を有しており、切欠き８は共振器電極３ａおよび３ｄそれぞれの一対の側辺のうち片側側辺にのみ設けられており、入力端子電極５ｂまたは出力端子電極６ｂの幅と結合電極４の幅とが切欠き８の幅より狭いとともに、入力端子電極５ｂまたは出力端子電極６ｂの一対の側辺と結合電極４の一対の側辺とが平面視において切欠き８内に位置していることが好ましい。このようにすることによって、結合電極４と共振器電極３ａ，３ｄとの容量結合を小さくするとともに、入力端子電極５ｂおよび出力端子電極６ｂと共振器電極３ａ，３ｄとの容量結合を小さくすることができ、結合電極４と入力端子電極５ｂまたは出力端子電極６ｂとの切欠き８を通して結合する容量結合を増大させることができる。この結果は、共振器電極３ａ，３ｄの切欠き８を大きくすることなく、結合電極４と入力端子電極５、または結合電極４と出力端子電極６との電磁界結合を強めることができることから、通過帯域内の損失が小さく、所定の通過帯域を除く周波数帯域において減衰特性の跳ね上がりが抑えられたフィルタ装置を実現することができる。
【００５２】
また、本発明のフィルタ装置は、上記構成において、図７に示す例のように、共振器電極３ａ，３ｄは開口８を有しており、入力端子電極５ｂまたは出力端子電極６ｂの幅と結合電極４の幅とが開口８の幅より狭いとともに、入力端子電極５ｂまたは出力端子電極６ｂの一対の側辺と結合電極４の一対の側辺とが平面視において開口８内に位置していることが好ましい。このようにすることによって、結合電極４と共振器電極３ａ，３ｄとの容量結合を小さくするとともに、入力端子電極５ｂおよび出力端子電極６ｂと共振器電極３ａ，３ｄとの容量結合を小さくすることから、結合電極４と入力端子電極５ｂまたは出力端
子電極６ｂとの開口８を通して結合する容量結合をより効率的に増大することができる。この結果は、共振器電極３ａ，３ｄの開口８を大きくすることなく、結合電極４と入力端子電極５、または結合電極４と出力端子電極６との電磁界結合が強めることができることから、通過帯域内の損失が小さく、所定の通過帯域を除く周波数帯域において減衰特性の跳ね上がりが抑えられたフィルタ装置とすることができる。
【００５３】
平面視で共振器電極３ａ・３ｄの切欠き８または開口部８と平面視で重なり合う結合電極４と入力端子電極５および出力端子電極６の線幅は、それぞれ容量結合する必要があることから100um以上であることが望ましい。
【００５４】
図８に示す例のように、結合電極４と共振器電極３ａ，３ｄの切欠きまたは開口８との間あるいは入力端子電極５と初段の共振器電極３ａの切欠きまたは開口８との間または出力端子電極６と最終段の共振器電極３ｄの切欠きまたは開口８との間に第２容量電極９を配置して、第２容量電極９と結合電極４，入力端子電極５，出力端子電極６とを接続してもよい。このようにすると、切欠きまたは開口８を小さいものとして、初段の共振器電極３ａまたは最終段の共振器電極３ｄのインピーダンスの不整合を少なくするとともに、抵抗成分を小さくした場合であっても、結合電極４と入力端子電極５または出力端子電極６との間の容量結合を大きくすることができ、結合電極４と入力端子電極５との電磁界結合、または結合電極４と出力端子電極６との電磁界結合をより大きくすることができる。また、切欠きまたは開口８を形成することによって、結合電極４と共振器電極３ａ，３ｄとの結合、入力端子電極５と初段の共振器電極３ａとの結合、出力端子電極６と最終段の共振器電極３ｄとの結合が小さくなるが、第２容量電極９によってこれを補うこともできる。
【００５５】
図８に示す例では、結合電極４の両端部、入力端子電極５および出力端子電極６に接続する第２容量電極９を設けているが、これらのうちの少なくとも１つに設ければよい。第２容量電極９によって結合電極４、入力端子電極５および出力端子電極６と共振器電極３ａ，３ｄとの結合も少なからず大きくなるので、これにより周波数特性を調整してもよい。入力端子電極５と初段の共振器電極３ａとの間の結合量と出力端子電極６と最終段の共振器電極３ｄとの間の結合量は、フィルタの入出力の電流のバランスを考えると同程度がよいことから、第２容量電極９は入力端子電極５と出力端子電極６との両方に接続して設けるのが好ましい。また、結合電極４と初段の共振器電極３ａとの間の結合量と結合電極４と最終段の共振器電極３ｄとの間の結合量は、結合電極４に流れる電流のバランスを考えると同程度がよいことから、第２容量電極９は結合電極４の両端部に接続して設けるのが好ましい。
【００５６】
第２容量電極９の形状は切欠きまたは開口８の形状に応じて、長方形や長円形とするのがよく、その大きさも切欠きまたは開口８の大きさと同程度とすればよい。切欠きまたは開口８の大きさより大きくすると、上記のような結合を補う効果が効果的に得られるが、例えば、結合電極４と共振器電極３ａ，３ｄとの結合が強くなりすぎると、初段の共振器電極３ａと最終段の共振器電極３ｄの間の（電磁界）結合が強くなりすぎ、フィルタ特性が変わってしまう（通過帯域の高域側の減衰極が低域側へシフトする）とともに、共振器電極３ａ・３ｄと入力端子電極５および出力端子電極６の結合が弱くなることからフィルタ特性が変わる（フィルタ特性の反射特性が悪化）ので、フィルタ特性を考慮して設定するとよい。
【００５７】
共振器電極３ａ〜３ｄに対する、結合電極４，入力端子電極５，出力端子電極６および容量電極７の平面視の配置やそれぞれとの距離（間に介在する誘電体層１ａの厚みまたは層数）は、特に制限はなく、所望の減衰特性となるように各電極と共振器電極３ａ〜３ｄとの結合を調整するように設定すればよい。
【００５８】
誘電体層１ａとしては、例えば、アルミナ，ムライト，窒化アルミニウム，ＢａＯ−ＴｉＯ２系，ＣａＯ−ＴｉＯ２系，ＭｇＯ−ＴｉＯ２系およびガラスセラミックス等のセラミック材料、あるいは四ふっ化エチレン樹脂（ポリテトラフルオロエチレン：ＰＴＦＥ），四ふっ化エチレン−エチレン共重合樹脂（テトラフルオロエチレン−エチレン共重合樹脂：ＥＴＦＥ），四ふっ化エチレン−パーフルオロアルコキシエチレン共重合樹脂（テト
ラフルオロエチレン−パーフルテロアルキルビニルエーテル共重合樹脂：ＰＦＡ）等のフッ素樹脂やガラスエポキシ樹脂，ポリイミド等の有機樹脂材料が用いられる。これらの材料による誘電体層１ａの形状や寸法（厚みや幅，長さ）は、使用される周波数や用途等に応じて設定される。セラミック材料の場合は、より高周波の信号を伝送することが可能な、Ａｕ，Ａｇ，Ｃｕ等の低抵抗金属からなる導体材料と同時焼成が可能な低温焼成セラミックスが好ましい。
【００５９】
第１の接地電極２ａ，第２の接地電極２ｂ，内部接地電極２ｃ，共振器電極３ａ〜３ｄ，結合電極４，入力端子電極５，出力端子電極６，容量電極７および第２容量電極９は、誘電体層１ａがセラミック材料からなる場合は、Ｗ，Ｍｏ，Ｍｏ−Ｍｎ，Ａｕ，Ａｇ，Ｃｕ等の金属を主成分とするメタライズ層により形成される。また、誘電体層１ａが樹脂系材料からなる場合は、厚膜印刷法，各種の薄膜形成方法，めっき法あるいは箔転写法等により形成した金属層や、このような金属層上にめっき層を形成したもの、例えばＣｕ層，Ｃｒ−Ｃｕ合金層またはＣｒ−Ｃｕ合金層上にＮｉめっき層およびＡｕめっき層を被着させたもの，ＴａＮ層上にＮｉ−Ｃｒ合金層およびＡｕめっき層を被着させたもの，Ｔｉ層上にＰｔ層およびＡｕめっき層を被着させたもの，Ｎｉ−Ｃｒ合金層上にＰｔ層およびＡｕめっき層を被着させたもの等が挙げられる。その厚みや幅は、伝送される高周波信号の周波数や用途等に応じて設定される。
【００６０】
誘電体層１ａ，第１の接地電極２ａ，第２の接地電極２ｂ，内部接地電極２ｃ，共振器電極３ａ〜３ｄ，結合電極４，入力端子電極５，出力端子電極６および容量電極７の形成は、周知の方法を用いればよい。例えば誘電体層１ａがガラスセラミックスから成る場合であれば、まずそれら誘電体層１ａとなるガラスセラミックスのグリーンシートを準備し、グリーンシート上にスクリーン印刷法によりＡｇ等の導体ペーストを所定形状で印刷塗布して第１の接地電極２ａ，第２の接地電極２ｂ，内部接地電極２ｃ，共振器電極３ａ〜３ｄ，結合電極４，入力端子電極５，出力端子電極６，容量電極７および第２容量電極９の各電極パターンを形成する。次に、これらの電極パターンが形成されたグリーンシートを重ねて圧着するなどして積層体を作製し、この積層体を850〜1000℃で焼成することに
より形成する。その後、外表面に露出している導体層上には、ＮｉめっきおよびＡｕめっき等のめっき皮膜を形成する。誘電体層１ａが有機樹脂材料から成る場合であれば、例えば有機樹脂シート上に第１の接地電極２ａ，第２の接地電極２ｂ，内部接地電極２ｃ，共振器電極３ａ〜３ｄ，接地強化部４ａ，入力端子電極５，出力端子電極６，結合電極４，容量電極７および第２容量電極９の各電極パターン形状に加工したＣｕ箔を転写し、Ｃｕ箔が転写された有機樹脂シートを積層して接着剤で接着することによって形成する。
【００６１】
接地電極２ａ，２ｂと共振器電極３ａ〜３ｄの短絡端とを接続する接続導体は、それらの間に位置する誘電体層１ａ内に形成された貫通導体または誘電体層１ａの端面に形成された端面導体の形態で形成することによって、積層されたそれら誘電体層１ａの内部に形成するフィルタ装置の設計自由度が向上するとともに、より小型で高性能なフィルタ装置とすることができる。
【００６２】
このような接続導体となる貫通導体や側面導体は、誘電体層１ａがガラスセラミックス等のセラミックスから成る場合には、貫通導体は、例えば前述の製造方法において第１の接地電極２ａ，第２の接地電極２ｂ，内部接地電極２ｃ，共振器電極３ａ〜３ｄ，結合電極４，入力端子電極５，出力端子電極６および容量電極７の各電極パターンを形成する前に、グリーンシートに金型加工やレーザー加工によりあらかじめ形成しておいた貫通孔内に同様の導体ペーストを印刷法等によって充填することで形成することができ、端面導体は、例えば共振器電極３ａ〜３ｄの電極パターンの短絡端を端面に露出させたグリーンシート積層体を形成した後、同様の導体ペーストをグリーンシート積層体の側面に印刷することによって形成することができる。また、端面導体は、グリーンシートに共振器電極３
ａ〜３ｄの列の幅程度の貫通孔を形成しておき、共振器電極３ａ〜３ｄの電極パターンの短絡端をこの貫通孔に接するように形成した後、グリーンシートの積層前または積層後に導体ペーストを貫通孔の内面に印刷し、または貫通穴に充填して、貫通孔の部分で切断することによっても形成することができる。誘電体層１ａが樹脂系材料から成る場合も同様に、グリーンシートに代えて有機樹脂シートを用い、導体ペーストの印刷やめっきによって貫通孔内に貫通導体を形成したり、薄膜法等によって側面導体を形成したりすればよい。共振器電極３ａ〜３ｄの電極パターンの短絡端を積層体の側面に露出させるには、共振器電極３ａ〜３ｄの電極パターンの短絡端がグリーンシート（あるいは有機樹脂シート）の端部に位置するように形成したり、共振器電極３ａ〜３ｄの電極パターンを形成したグリーンシート（有機樹脂シート）を積層した後に、共振器電極３ａ〜３ｄの電極パターンの短絡端が側面に露出するように積層体を切断したりすればよい。
【００６３】
具体的には、ＵＷＢのローバンド規格に用いられるような、通過帯域の中心周波数が3.9ＧＨｚのバンドパスフィルタとしてのフィルタ装置は、図４に示すような形態であれば
、例えば誘電体層１ａとして比誘電率が9.4のガラスセラミックスを用い、第１の接地電
極２ａ，第２の接地電極２ｂ，内部接地電極２ｃ，共振器電極３ａ〜３ｄ，結合電極４，入力端子電極５，出力端子電極６，容量電極７および貫通導体にＡｇメタライズを用いることにより得られる。比誘電率が9.4のガラスセラミックスは、例えば、ガラス成分とし
てＰｂＯ，Ｂ２Ｏ３，ＳｉＯ２，Ａｌ２Ｏ３，ＺｎＯおよびアルカリ土類金属酸化物を主成分とする結晶化ガラスが50質量％と、フィラー成分としてアルミナが50質量％とからなるものを用いればよい。
【００６４】
このとき、誘電体層１ａは、厚みを上から順に、400μｍ，75μｍ，75μｍ，350μｍとする。接地電極２ａ，２ｂは、寸法を3.35ｍｍ×5.0ｍｍとし、内部接地電極２ｃは外寸
を3.35ｍｍ×5.0ｍｍで内寸（開口の寸法）を2.945ｍｍ×3.5ｍｍとする。この開口内に
寸法が0.4ｍｍ×3.35ｍｍの共振器電極３ａ，３ｂ，３ｃ，３ｄを順に0.155ｍｍ，0.135
ｍｍ，0.155ｍｍの間隔で横並びに整列し、各短絡端を内部接地電極２ｃに接続して、各
開放端と内部接地電極２ｃとの間隔が0.15ｍｍとなり、共振器電極３ａおよび３ｄと内部接地電極２ｃとの間隔が0.45ｍｍとなるように配置する。内部接地電極２ｃと積層体１の上下面の接地電極２ａ，２ｂとは、外周部に配列した直径0.1ｍｍの貫通導体で接続する
。入力端子電極５は、0.3ｍｍ×3.35ｍｍの内部入力端子電極５ｂを初段の共振器電極３
ａの開放端側と平面視で0.3ｍｍ×3.35ｍｍの範囲で重なるように配置し、0.2ｍｍ×0.2
ｍｍの外部入力端子電極５ａと直径0.1ｍｍの貫通導体で接続する。出力端子電極６も同
様に、0.3ｍｍ×3.35ｍｍの内部出力端子電極６ｂを最終段の共振器電極３ｄの開放端側
と平面視で0.3ｍｍ×3.35ｍｍ重なるように配置し、0.2ｍｍ×0.2ｍｍの外部出力端子電
極６ａと直径0.1ｍｍの貫通導体で接続する。結合電極４は、２つの0.1ｍｍ×2.0ｍｍの
対向部を1.545ｍｍ×0.1ｍｍの接続部で接続したクランク形とし、２つの対向部がそれぞれ初段の共振器電極３ａおよび最終段の共振器電極３ｄの短絡端側と平面視で0.1ｍｍ×1.8ｍｍの範囲で重なるように配置し、内部接地電極２ｃと重なる部分の中心で直径0.1ｍ
ｍの貫通導体により内部接地電極２ｃに接続する。容量電極７は0.2ｍｍ×0.4ｍｍおよび0.4ｍｍ×0.6ｍｍの２つの矩形を接続した凸型で、内部接地電極２ｃと0.4ｍｍ×0.6ｍｍの範囲で重なり、共振器電極３ａ〜３ｄの開放端部と平面視で0.2ｍｍ×0.25ｍｍの範囲
で重なるように配置し、重なる部分の中心で直径0.1ｍｍの貫通導体により接続する。開
口部８・８は、初段の共振器電極３ａおよび最終段の共振器電極３ｄのそれぞれの短絡端側からの距離が0.1ｍｍで、共振器電極３ａ，３ｄの幅の中心に、共振器電極３ａ，３ｄ
の長さ方向に平行な長さが0.3ｍｍで幅が0.2ｍｍの長方形状のものを配置する。
【００６５】
このような例の本発明のフィルタ装置のフィルタ特性は、図９の線図に実線の特性曲線で示すようなものとなる。（実施例１）また、このような例の本発明のフィルタ装置によるフィルタ特性に対して、共振器電極３ａ，３ｄが切欠きまたは開口８を有さないフィル
タ装置（比較例）において得られるフィルタ特性は、図９に破線の特性曲線で示すようなものとなる。図に示す線図において、縦軸は挿入損失（単位：ｄＢ）を、横軸は周波数（単位：ＧＨｚ）を示す。
【００６６】
図９に示すフィルタ特性から、本発明のフィルタ装置のフィルタ特性は、通過帯域より高周波側の減衰量が大きい減衰特性を有することが分かる。
【００６７】
実施例１のフィルタ装置に対し、図８に示す例のように第２容量電極９を配置した第２の例（実施例２）のフィルタ特性は、図９と同様の図１０の線図に実線の特性曲線で示すようなものとなる。破線の特性曲線は図９と同様に比較例のフィルタ特性を示す。実施例２のフィルタ装置は、具体的には、実施例１のフィルタに対して、誘電体層１ａを、厚みが上から順に400μｍ，25μｍ，50μｍ，50μｍ，25μｍ，350μｍである６層として、0.15ｍｍ×0.15ｍｍの第２容量電極９を、上から２層目と３層目の誘電体層１ａ・１ａの間において、平面視で初段の共振器電極３ａの開口部８および最終段の共振器電極３ｄの開口部８それぞれの中心と中心を一致させてそれぞれ１つずつ配置して、それぞれ第２容量電極９の中心で入力端子電極５および出力端子電極６に直径0.1ｍｍの貫通導体で接続し
、また、上から４層目と５層目の誘電体層１ａ・１ａの間において、同様に平面視で共振器電極３ａ，３ｄの開口部８・８の中心と中心を一致させてそれぞれ１つずつ配置して、同様に結合電極４の両端部にそれぞれ接続する。実施例１では、結合電極４と入力端子電極５および出力端子電極６とは、開口８を通して150μｍの距離を置いて結合しているの
に対して、実施例２では、開口８を挟んで一対の第２容量電極９・９が100μｍの距離を
置いて対向して結合電極４と入力端子電極５および出力端子電極６とが結合している。
【００６８】
図１０に示すフィルタ特性から、実施例２のフィルタ装置のフィルタ特性は、実施例１のフィルタ装置のフィルタ特性と比較して、第２容量電極９によって結合電極４と入力端子電極５および出力端子電極６との結合がさらに強まるとともに、開口８によって弱まった結合電極４と共振器電極３ａ，３ｄとの結合も強まることで、結合電極４に流れる信号の位相が反転して大きな減衰極を形成することとなり、これにより通過帯域の高域側の周波数帯の減衰量がさらに増大していることが分かる。
【００６９】
実施例１のフィルタ装置に対し、図７に示す例のように共振器電極３ａ，３ｄの開口部８と対向する入力端子電極５ｂおよび出力端子電極６ｂの部位の線幅を、それぞれ開口８の幅以下とし、同様に共振器電極３ａ，３ｄの開口部８と対向する結合電極４・４の部位の線幅を、それぞれ開口８の幅以下とした第３の例（実施例３）のフィルタ特性は、図９と同様の図１１の線図に実線の特性曲線で示すようなものとなる。破線の特性曲線は図９と同様に比較例のフィルタ特性を示す。実施例３のフィルタ装置は、具体的には、実施例１のフィルタに対して、入力端子電極５は、平面視で初段の共振器電極３ａの開口部８と重なるように0.2ｍｍ×0.3ｍｍの細線幅部（線幅0.2ｍｍ）とし、出力端子電極６は、平
面視で最終団の共振器電極３ｄの開口部８と重なるように0.2ｍｍ×0.3ｍｍの細線幅部（線幅0.2ｍｍ）としている。
【００７０】
図１１に示すフィルタ特性から、実施例３のフィルタ装置のフィルタ特性は、実施例１のフィルタ装置のフィルタ特性と比較して、結合電極４と入力端子電極５および出力端子電極６の幅を開口８の幅以下にすることにより結合電極４と入力端子電極５および出力端子電極６との結合がさらに強まることによって、通過帯域の高域側の周波数帯の減衰量がさらに増大していることが分かる。
【００７１】
以上のことから、本発明のフィルタ装置は、共振器電極３ａ，３ｄが、結合電極４と入力端子電極５とに挟まれた部分、および結合電極４と出力端子電極６とに挟まれた部分のうち少なくとも一方の部分に切欠きまたは開口８を有することから、結合電極４と入力端
子電極５および出力端子電極６の少なくとも一方とが切欠きまたは開口８を通して容量結合することで電磁界結合が強まるので、結合電極４を通る信号の位相を変えることができることから、結合電極４によるλ／２共振を低減することができ、所定の通過帯域を除く周波数帯域において減衰特性の跳ね上がりが抑えられたフィルタ装置とすることができる。
【００７２】
そして、第２容量電極９が、入力端子電極５と初段の共振器電極３ａの開口部８との間に配置されるとともに入力端子電極５に接合され、出力端子電極６と最終段の共振器電極３ｄの開口部８との間に配置されるとともに出力端子電極６に接合され、また、結合電極４の短絡端側と共振器電極３ａ，３ｄの開口部８・８との間に配置されるとともに結合電極４の両短絡端部にそれぞれ接続されているときは、入力端子電極５および出力端子電極６と結合電極４との結合が大きくなるので、開口部８の大きさを小さくすることができる。このようにすると、共振器電極３ａ，３ｄの抵抗成分をあまり増大させることがないので、低損失なフィルタ特性とすることができるとともに、共振器電極３ａ，３ｄと入力端子電極５および出力端子電極６との間の結合を弱めることなく、結合電極４と入力端子電極５および出力端子電極６の結合を強めることができるので、フィルタの反射特性を劣化させることがなく、フィルタの通過帯域の高域側の減衰極の減衰量がさらに増大するとともに、通過帯域の高域側の減衰極よりさらに高域側に減衰極を形成することによって、通過帯域の高域側の周波数帯の減衰量がさらに増大した優れた減衰特性を有するものであることが分かる。
【００７３】
なお、従来のフィルタ装置は、比較例に対してさらに容量電極７を有さない構造である。このような従来のフィルタ装置において、本発明のフィルタ装置（および比較例のフィルタ装置）と同様の周波数に減衰極を有するものとするには、共振器電極３ａ〜３ｄを長くしなければならず、フィルタ装置の大きさが大きくなってしまうばかりでなく、減衰極よりさらに高周波側に減衰特性の跳ね上がりがあり、無線ＬＡＮで使用する帯域に対する減衰帯域において十分に減衰していないフィルタ特性となってしまう。
【符号の説明】
【００７４】
１・・・積層体
１ａ・・・誘電体層
２ａ・・・第１の接地電極
２ｂ・・・第２の接地電極
２ｃ・・・内部接地電極
３ａ，３ｂ，３ｃ，３ｄ・・・共振器電極
３ａ・・・初段の共振器電極
３ｄ・・・最終段の共振器電極
４・・・結合電極
５・・・入力端子電極
５ａ・・・外部入力端子電極
５ｂ・・・内部入力端子電極
６・・・出力端子電極
６ａ・・・外部出力端子電極
６ｂ・・・内部出力端子電極
７・・・容量電極
８・・・切欠きまたは開口
９・・・第２容量電極
【図１】
0005606199.tif 000002
【図２】
0005606199.tif 000003
【図３】
0005606199.tif 000004
【図４】
0005606199.tif 000005
【図５】
0005606199.tif 000006
【図６】
0005606199.tif 000007
【図７】
0005606199.tif 000008
【図８】
0005606199.tif 000009
【図９】
0005606199.tif 000010
【図１０】
0005606199.tif 000011
【図１１】
0005606199.tif 000012
【図１２】
0005606199.tif 000013